(57)【特許請求の範囲】
【請求項１】
建物内から空気を吸い込む吸い込み口と、
前記建物内へ空気を吹き出す吹き出し口と、
前記吸い込み口と前記吹き出し口とを接続するダクトと、
前記ダクトに設けられた送風部と、
前記ダクトに設けられた空気清浄部と、
前記建物内の人の有無を検知する人検知部と、
前記建物内の空気の汚染度を検知する空気汚染度検知部と、
装置全体を制御する制御部と、
を備え、
前記制御部は、前記空気汚染度検知部が検知した空気汚染度に応じて前記送風部の送風量を制御し、前記送風部の送風量が小さい状態において前記人検知部により人が検知されない状態から人が検知される状態に移行すると前記送風部の送風量を増加させるとともに、前記送風部の送風量が所定量以上である状態において前記人検知部により人が検知される状態から人が検知されない状態に移行すると前記送風部の送風量を減らすように制御する
ことを特徴とする空気清浄装置。
【請求項２】
前記制御部は、前記人検知部により人が検知されない状態から人が検知される状態に移行すると前記送風部の送風量を増加させるように制御するとともに、その所定時間経過後に前記空気汚染度検知部が検知した空気汚染度に基づいて送風量を制御する
ことを特徴とする 請求項１に記載の空気清浄装置。
【請求項３】
前記建物内の特定の電気機器の動作状態を検知する電気機器状態検知手段を備え、
前記制御部は前記電気機器状態検知手段により検知した特定の電気機器の動作状態により前記送風部の送風量を制御する
ことを特徴とする請求項１または請求項２に記載の空気清浄装置。
【請求項４】
前記制御部が前記電気機器状態検知手段により特定の電気機器の動作状態が運転状態から停止状態に移行したことを検知した際に、前記送風部の送風量を所定時間だけ保持する
ことを特徴とする 請求項３に記載の空気清浄装置。
【請求項５】
前記建物内の人の就寝状態を検知する就寝検知手段を備え、
前記制御部は前記就寝検知手段による検知情報に基づき前記送風部の送風量を制御する
ことを特徴とする請求項１乃至請求項４のいずれか１項に記載の空気清浄装置。
【発明の詳細な説明】
【技術分野】
【０００１】
本発明は、建物内に設置され、その建物内の空気を清浄にする空気清浄装置に関するものである。
【背景技術】
【０００２】
建物内に設置され、その室内の空気の塵埃等を除去して清浄にする装置として空気清浄装置がある。この空気清浄装置において、常時フルパワーで運転すると消費電力や騒音が大きくなる。そのため、空気清浄装置に室内空気の汚染度を検知するセンサーを設け、その検知した汚染度に応じて運転制御を行うことにより消費電力や騒音を抑制した空気清浄装置があった（例えば特許文献１参照）。
【先行技術文献】
【特許文献】
【０００３】
【特許文献１】特開昭６０-９３２４０
【発明の概要】
【発明が解決しようとする課題】
【０００４】
しかしながら、従来の空気清浄機では、空気清浄装置に設置されたセンサーにより空気汚染状況を検知して動作するため、室内空気の一部が汚染された状況となっても、その汚染された空気がセンサーに達して汚染の状況が検知されるまでは高速で運転されない。そのため、室内空気が汚染されてから清浄の状態になるまでには一定の時間が必要であり、在室者に一時期でも不快感が生ずるおそれがあるという課題があった。
【０００５】
本発明は、上記の課題を解決するためになされたものであり、日常の手動による操作の煩わしさがなく、室内に塵埃等の汚染物質が充満する前に高速で運転して室内の空気を速やかに清浄な状態に回復して在室者に不快感を生じさせるのを抑えるとともに、空気が汚染されていないときは運転電力量や騒音を抑えた空気清浄装置を提供することを目的とする。
【課題を解決するための手段】
【０００６】
上述の課題を解決するために、本発明の空気清浄装置においては、建物内から空気を吸い込む吸い込み口と、建物内へ空気を吹き出す吹き出し口と、吸い込み口と吹き出し口とを接続するダクトと、そのダクトに設けられた送風部と、ダクトに設けられた空気清浄部と、建物内の人の有無を検知する人検知部と、建物内の空気の汚染度を検知する空気汚染度検知部と、装置全体を制御する制御部と、を備え、制御部は、空気汚染度検知部が検知した空気汚染度に応じて送風部の送風量を制御し、送風部の送風量が小さい状態において人検知部により人が検知されない状態から人が検知される状態に移行すると送風部の送風量を増加させるように制御するとともに、送風部の送風量が所定量以上である状態において人検知部により人が検知される状態から人が検知されない状態に移行すると送風部の送風量を減らすように制御したものである。
【発明の効果】
【０００７】
本発明によれば、空気清浄装置の送風部の送風量が小さい状態において、人検知部により建物内に人が検知されない状態から人が検知される状態に移行すると、送風部の送風量を増加させるように駆動制御するので、人が建物内に入室して活動することにより塵埃等が発生し、建物内の空気汚染度が上昇することを空気汚染度検知部が検知する前に抑制することができるとともに、送風部の送風量が所定量以上である状態において人検知部により人が検知される状態から人が検知されない状態に移行すると、送風部の送風量を減少させるように駆動制御するので、在室者に不快な思いをさせることなく、使用電力量を抑制することができる。
【図面の簡単な説明】
【０００８】
【図１】本発明の実施の形態１に係る空気清浄装置の制御ブロック構成図である。
【図２】本発明の実施の形態１に係る空気清浄装置を建物に取り付けた状態を示す図である。
【図３】本発明の実施の形態１に係る空気清浄装置の制御動作を示すフローチャートである。
【図４】本発明の実施の形態１に係る空気清浄装置の制御動作のタイムチャートを示す図である。
【図５】本発明の実施の形態２に係る空気清浄装置の建物内に設けた塵埃センサーで検出した建物内の塵埃濃度と送風部の送風量との関係を示す図である。
【図６】本発明の実施の形態２に係る空気清浄装置の制御動作の一例を示すフローチャートである。
【図７】本発明の実施の形態３に係る空気清浄装置の建物内塵埃濃度および建物内の人の有無と送風部の送風量との関係を示す図である。
【図８】本発明の実施の形態３に係る空気清浄装置の制御動作を示すフローチャートである。
【図９】本発明の実施の形態４に係る空気清浄装置の制御ブロック構成図である。
【図１０】本発明の実施の形態４に係る空気清浄装置の建物における配置を示す図である。
【図１１】本発明の実施の形態４に係る空気清浄装置の制御動作の一例を示すフローチャートである。
【図１２】本発明の実施の形態５に係る空気清浄装置の制御動作における就寝状態と送風量を切り替える空気汚染度の閾値の関係を示す図である。
【図１３】本発明の実施の形態６に係る空気清浄装置の制御ブロック構成図である。
【図１４】本発明の実施の形態６に係る空気清浄装置の建物における配置を示す図である。
【図１５】本発明の実施の形態６に係る空気清浄装置の制御動作の一例を示すフローチャートである。
【図１６】本発明の実施の形態６に係る空気清浄装置の制御動作のタイムチャートを示す図である。
【発明を実施するための形態】
【０００９】
以下、図面を参照して、本発明の実施の形態について説明する。尚、各図において共通あるいは相当する要素には、同一の符号を付して、重複する説明を省略する。なお、この実施の形態によりこの発明が限定されるものではない。
【００１０】
実施の形態１
図１は本発明の実施の形態１に係る空気清浄装置の制御ブロック構成を示す図であり、図２は本実施の形態に係る空気清浄装置を建物に取り付けた状態を示す図である。空気清浄装置１００は建物の天井等に設けられ、建物内の空間から空気を吸い込む吸い込み口１と、建物内の空間に空気を吹き出す吹き出し口２と、を備えており、吸い込み口１と吹き出し口２とはダクト４によって接続されている。ダクト４の吹き出し口２側に通過する空気の塵埃を除去する空気清浄部５であるフィルター５ａ及び除塵機５ｂが設けられ、吸い込み口１側にはファン６ａが設けられている。ファン６ａはモーター６ｂによって駆動されることにより、吸い込み口１から吹き出し口２へ空気を送る送風部６を構成している。また空気清浄装置１００を設置した建物の天井面に空気汚染度センサー８と人検知部である人感センサー（人体感知センサー）９を設け、建物内の空気の塵埃濃度等の汚染度や、建物内の人の有無を検知する。制御部１０は時間を計測するタイマー１１を備え、空気汚染度センサー８や人感センサー９により検出した情報により、送風部６のモーター６ｂを制御する。図２に示すように、送風部６のファン６ａの回転により吸い込み口１から吸い込まれてダクト４を流れた空気は、フィルター５ａや除塵機５ｂで形成された空気清浄部５を経由して吹き出し口２から建物内へ戻される。
【００１１】
次に、図３に示した制御部１０による制御動作のフローチャートおよび図４に示したタイムチャートに基づき、空気清浄装置１００の動作について説明する。なお、図３および図４に示した制御動作のフローチャートおよびタイムチャートは一例にすぎず、発明の範囲は図に示した内容に限定されるものではない。図４のタイムチャートにおいて、（ａ）は空気汚染度センサーで検知する建物内の空気汚染度のレベルと送風部６の送風量切り替え閾値との関係を示すものであり、（ｂ）は空気清浄装置の動作レベルを示す送風部６の送風量を示すものであり、（ｃ）は建物内の人の存在を検知する人感センサー９の出力を示すものである。
【００１２】
図３において、初期状態では建物内に人がいない状態であるとする。まず、空気汚染度センサー８からの情報により制御部１０は建物内の空気の汚染度が所定の閾値を超えているか否かを判断する（ステップ１）。空気汚染度が所定の閾値を超えている場合には送風部６のモーター６ｂを高出力で駆動してファン６ａの回転数を大きくし、送風量を大とする（ステップ２）。一方、空気汚染度が所定の閾値以下であった場合には送風部６の送風量を小とする（ステップ３）。次いで、人感センサー９からの情報により制御部１０は建物内の人の有無を判断し（ステップ４）、人が検知されなければステップ１へ戻る。ステップ４で人が検知された場合は建物内に人がいない状態から居る状態に移行した場合であり、送風部６の送風量を大とする（ステップ５）とともに、タイマー１１のカウンタをクリアして（ステップ６）、人が検知されてからの経過時間を初期化する。
【００１３】
次に、再度、建物内の人の有無を判断し（ステップ７）、人が検知されなかった場合にはステップ１へ戻る。ステップ７で建物内に人が検知された場合にはタイマー１１をカウントアップし（ステップ８）、タイマー１１のカウンタが所定値Ｔ１以上か否かを判断する(ステップ９)。タイマー１１のカウンタが所定値Ｔ１未満である場合は建物内に人が検知されてから所定の時間Ｔ１が経過しておらず、ステップ７に戻って建物内の人の検知を行いつつ、送風部６の大送風量状態を継続する。
【００１４】
ステップ９でタイマー１１のカウンタが所定値Ｔ１以上であった場合は、建物内に人が検知されてから所定時間が経過しており、建物内に入った人の活動により塵埃等が舞い上がる等の過渡的な空気汚染度の上昇は収まったものとして、空気汚染度に基づいて送風部６の送風量を設定する。具体的には、空気汚染度センサー８の検出値と送風量切り替え閾値とを比較し（ステップ１０）、検出値が閾値より大きい場合には送風部６の送風量を大とし（ステップ１１）、検出値が閾値以下の場合には送風部６の送風量を小とする(ステップ１２)。そして、人感センサー９からの情報により建物内の人の有無を判断し、建物内に人がいる場合にはステップ１０へ戻り、人がいない場合にはステップ１へ戻る（ステップ１３）。
【００１５】
以上のように動作制御することで、図４に示すように、人感センサー９が人を検知していない状態から検知した状態に移行した際に送風部６の送風量が小の場合（Ａ１、Ａ５）には送風量を大に増加させ、所定時間Ｔ１経過後（Ａ２、Ａ６）には空気汚染センサー８で検知した空気汚染度に基づいて送風量を制御する。人感センサー９が人を検知していない状態から検知した状態に移行した際に空気汚染度が高く送風部６の送風量が大の場合には、その後も大きい送風量の制御を継続する（Ａ３）。その後、人を検知してから所定時間Ｔ１経過前に人感センサー９で人を検知しなくなった場合には、空気汚染度センサー８の検出値に基づき、空気汚染度が送風量切り替え閾値を下回れば送風量を小とする（Ａ４）。
【００１６】
本実施の形態に係る空気清浄装置によれば、建物内に人が入り、その活動によって建物内に塵埃等が発生し、或いは舞い上がって建物内の空気の汚染度が高くなるのを空気汚染度センサー８で検出する前から送風部６を大きい送風量で動作させるので建物内の空気を高速でフィルター５ａや除塵機５ｂで清浄化することができ、建物内の空気汚染度の上昇を抑制することができる。また、大きい送風量で動作することにより、建物内の空気の循環周期が短くなるので、人のいる場所等の塵埃の発生源から空気汚染度センサー８で検出されるまでの時間が短縮され、空気汚染度の上昇の検知遅れによる空気清浄動作の遅れを抑制することができる。
【００１７】
また、人が検知されてから一定期間後は、建物内の人の活動による空気汚染の状態が空気汚染度センサー８により検知されているので、建物内の人の有無に関わらず空気汚染度センサー８からの情報に基づいて送風部６の送風量を制御するので、過剰に送風部６のモーター６ｂを高速で駆動することを回避して、使用電力および騒音を抑制することができる。
【００１８】
実施の形態２．
実施の形態１に係る空気清浄装置１００は、送風部６の送風量が大小の２段階に切り替わるだけであったが、送風量を３段階以上に切り替えるものであってもよい。実施の形態２に係る空気清浄装置は、送風量を４段階に切り替えられるものであり、図５は建物内の塵埃濃度等の空気汚染度と送風部６の送風量との関係を示す図であり、図６は制御部１０による制御動作のフローチャートである。なお、本実施の形態に係る空気清浄装置の構成については、実施の形態１に係る空気清浄装置と同様であり、図および説明を省略する。図５に示すように、本実施の形態に係る空気清浄装置では、空気汚染度センサーで検知した建物内の空気の塵埃濃度が第１の送風量切り替え閾値ＤＳ１より高い場合には送風部の送風量をＶ１（大）とし、検知塵埃濃度が閾値ＤＳ１以下で第２の送風量切り替え閾値ＤＳ２より高い場合には送風部の送風量をＶ２（中）とし、検知塵埃濃度が閾値ＤＳ２以下で第３の送風量切り替え閾値ＤＳ３より高い場合には送風部の送風量をＶ３（小）とする。検知塵埃濃度が閾値ＤＳ３以下の時、建物内に人がいる場合は送風量をＶ４（微小）とし、人がいない場合は送風量を０（送風停止）とする。以下、図６に示したフローチャートに基づいて、本実施の形態に係る空気清浄装置の制御部の制御動作を説明する。
【００１９】
図６において、初期状態では空気清浄装置１００が設置された建物内には人がいる状態であり、制御部１０は空気汚染度センサー８で検出した塵埃濃度と第１の送風量切り替え閾値ＤＳ１とを比較し(ステップ３１)、検出塵埃濃度が閾値ＤＳ１を上回る場合には送風部６の送風量を大（Ｖ１）とする(ステップ３２)。ステップ３１で検出塵埃濃度が閾値ＤＳ１以下であった場合には検出塵埃濃度と第２の送風量切り替え閾値ＤＳ２とを比較し（ステップ３３）、検出塵埃濃度が閾値ＤＳ２を上回る場合には送風部６の送風量を中（Ｖ２）とする(ステップ３４)。ステップ３３で検出塵埃濃度が閾値ＤＳ２以下であった場合には検出塵埃濃度と第３の送風量切り替え閾値ＤＳ３とを比較し（ステップ３５）、検出塵埃濃度が閾値ＤＳ３を上回る場合には送風部６の送風量を小（Ｖ３）とし(ステップ３６)、検出塵埃濃度が閾値ＤＳ３以下であった場合には送風量を微小（Ｖ４）とする(ステップ３７)。次いで、人感センサー９からの情報により建物内の人の有無を判断し（ステップ３８）、人がいる場合にはステップ３１へ戻る。
【００２０】
ステップ３８において建物内に人がいないと判断した場合には、制御部１０は空気汚染度センサー８で検出した塵埃濃度と第１の送風量切り替え閾値ＤＳ１とを比較し(ステップ３９)、検出塵埃濃度が閾値ＤＳ１を上回る場合には送風部６の送風量を大（Ｖ１）とする(ステップ４０)。ステップ３９で検出塵埃濃度が閾値ＤＳ１以下であった場合には検出塵埃濃度と第２の送風量切り替え閾値ＤＳ２とを比較し（ステップ４１）、検出塵埃濃度が閾値ＤＳ２を上回る場合には送風部６の送風量を中（Ｖ２）とする(ステップ４２)。ステップ４１で検出塵埃濃度が閾値ＤＳ２以下であった場合には検出塵埃濃度と第３の送風量切り替え閾値ＤＳ３とを比較し（ステップ４３）、検出塵埃濃度が閾値ＤＳ３を上回る場合には送風部６の送風量を小（Ｖ３）とし(ステップ４４)、検出塵埃濃度が閾値ＤＳ３以下であった場合には送風を停止とする(ステップ４５)。次いで、人感センサー９からの情報により建物内の人の有無を判断し（ステップ４６）、人がいない場合にはステップ３９へ戻る。
【００２１】
ステップ４６において建物内に人がいると判断した場合には、建物内に人がいない状態から人がいる状態に移行したものであり、タイマー１１のカウントをクリアして初期化し（ステップ４７）、送風部６の送風量を大きくする（ステップ４８）。そして、再度、建物内の人の有無を判定し(ステップ４９)、人がいない状態であればステップ３９へ戻る。人が継続している場合にはタイマー１１のカウンタ値が所定値Ｔ１以上か否か判断し（ステップ５０）、所定値Ｔ１以上であればステップ３１へ移行し、所定値Ｔ１未満であればタイマー１１をカウントアップして（ステップ５１）、ステップ４９へ戻る。
【００２２】
以上のように動作制御することで、本実施の形態に係る空気清浄装置によれば、建物内に人が入り、その活動によって建物内に塵埃等が発生し、或いは舞い上がって建物内の空気の汚染度が高くなるのを空気汚染度センサー８で検出する前から送風部６を大きい送風量で動作させるので建物内の空気を高速でフィルター５ａや除塵機５ｂで清浄化することができ、建物内の空気汚染度の上昇を抑制することができる。また、大きい送風量で動作することにより、建物内の空気の循環周期が短くなるので、人のいる場所等の塵埃の発生源から空気汚染度センサー８で検出されるまでの時間が短縮され、空気汚染度の上昇の検知遅れによる空気清浄動作の遅れを抑制することができる。
【００２３】
実施の形態３．
実施の形態３に係る空気清浄装置は、建物内に人が検知されなくなると送風部６の送風量を減らすものである。図７に本実施の形態に係る空気清浄装置の建物内の人の有無および塵埃濃度等の空気汚染度と送風部６の送風量との関係を示す。なお、本実施の形態に係る空気清浄装置の構成については、実施の形態１および実施の形態２に係る空気清浄装置と同様であり、図および説明を省略する。図７に示すように、本実施の形態に係る空気清浄装置では、人感センサーで検知した建物内の人の有無と、空気汚染度センサーで検知した建物内の空気汚染度の情報により、送風部の送風量を制御する。具体的には、建物内に人がいる場合には、空気汚染度が送風量切り替え閾値ＤＴ１より高い場合には送風部６の送風量をＶａ１とし、空気汚染度が閾値ＤＴ１以下で次の送風量切り替え閾値ＤＴ２より高い場合には送風部６の送風量をＶａ２とし、空気汚染度が閾値ＤＴ２以下で次の送風量切り替え閾値ＤＴ３より高い場合には送風部６の送風量をＶａ３とし、空気汚染度が閾値ＤＴ３以下で次の送風量切り替え閾値ＤＴ４より高い場合には送風部６の送風量をＶａ４とし、空気汚染度が閾値ＤＳ４以下である場合には送風部の送風量をＶａ５とする。また、建物内に人がいない場合には、空気汚染度が送風量切り替え閾値ＤＴ１より高い場合には送風部６の送風量をＶｂ１とし、空気汚染度が閾値ＤＴ１以下で次の送風量切り替え閾値ＤＴ２より高い場合には送風部６の送風量をＶｂ２とし、空気汚染度が閾値ＤＴ２以下で次の送風量切り替え閾値ＤＴ３より高い場合には送風部６の送風量をＶｂ３とし、空気汚染度が閾値ＤＳ３以下で次の送風量切り替え閾値ＤＴ４より高い場合には送風部６の送風量をＶｂ４とし、空気汚染度が閾値ＤＴ４以下である場合には送風部の送風量を０(送風停止)とする（Ｖａ１＞Ｖａ２＞Ｖａ３＞Ｖａ４＞Ｖａ５＞Ｖｂ１＞Ｖｂ２＞Ｖｂ３＞Ｖｂ４＞０）。以下、図８に示したフローチャートに基づいて、本実施の形態に係る空気清浄装置の制御部１０の制御動作を説明する。
【００２４】
図８において、初期状態では建物内に人がおらず、送風部６は送風を停止している状態である。まず、人感センサー９からの情報により制御部１０は建物内の人の有無を判断し（ステップ６１）、人がいなければ、そのまま待つ。人の存在を検出すると、タイマー１１のカウンタをクリアして初期化し（ステップ６２）、送風部６の送風量を大風量（Ｖａ１）とする（ステップ６３）。次いで、タイマー１１のカウンタ値が所定値Ｔ１と比較し、建物内に人を検知してから所定時間Ｔ１が経過したか否かを判断する（ステップ６４）。その結果、タイマー１１のカウンタ値が所定値Ｔ１未満であれば再び人感センサー９からの情報により建物内に人がいるか否か判断し（ステップ６５）、人がいる場合にはタイマー１１をカウントアップして（ステップ６６）、ステップ６４に戻る。ステップ６５で建物内に人がいないと判断した場合は、後述のステップ７７に移行して、建物内に人を検知することによる空気清浄装置の大送風量運転を終了する。
【００２５】
以上のステップ６２〜ステップ６６の制御動作により、建物内に人がいない状態から建物内に人がいる状態に移行した場合に、建物内に入った人の活動により上昇する塵埃濃度等の空気汚染度を空気汚染度センサー８で検出する前から空気清浄装置を大送風量で所定時間（Ｔ１）動作させ、建物内の空気を高速でフィルター５ａや除塵機５ｂで清浄化することにより、建物内の空気汚染度の上昇を抑制することができる。また、大きい送風量で動作することにより、建物内の空気の循環周期が短くなるので、人のいる場所等の塵埃の発生源から空気汚染度センサー８で検出されるまでの時間が短縮され、空気汚染度の上昇の検知遅れによる空気清浄動作の遅れを抑制することができる。
【００２６】
ステップ６４において、タイマー１１のカウンタ値が所定値Ｔ１以上となった場合には、建物内に人がいない状態において人を検知することにより行う所定期間Ｔ１の空気清浄装置の大送風量運転を終了し、人感センサー９による建物内の人の有無を判断する（ステップ６７）。その結果、人が建物内に検知された場合には、制御部１０は空気汚染度センサー８で検出した塵埃濃度と送風量切り替え閾値ＤＴ１とを比較し(ステップ６８)、検出塵埃濃度が閾値ＤＴ１を上回る場合には送風部６の送風量をＶａ１とする(ステップ６９)。ステップ６８で検出塵埃濃度が閾値ＤＴ１以下であった場合には検出塵埃濃度と次の送風量切り替え閾値ＤＴ２とを比較し（ステップ７０）、検出塵埃濃度が閾値ＤＴ２を上回る場合には送風部６の送風量をＶａ２とする(ステップ７１)。ステップ７０で検出塵埃濃度が閾値ＤＴ２以下であった場合には検出塵埃濃度と次の送風量切り替え閾値ＤＴ３とを比較し（ステップ７２）、検出塵埃濃度が閾値ＤＴ３を上回る場合には送風部６の送風量をＶａ３とする(ステップ７３)。ステップ７２で検出塵埃濃度が閾値ＤＴ３以下であった場合には検出塵埃濃度と次の送風量切り替え閾値ＤＴ４とを比較し（ステップ７４）、検出塵埃濃度が閾値ＤＴ４を上回る場合には送風部６の送風量をＶａ４とし(ステップ７５)、検出塵埃濃度が閾値ＤＴ４以下であった場合には送風量をＶａ５とする(ステップ７６)。次いで、ステップ６７へ戻って、人感センサー９による建物内の人の有無の判断から繰り返す。
【００２７】
ステップ６７において建物内に人がいないと判断した場合には、制御部１０は空気汚染度センサーで検出した塵埃濃度と送風量切り替え閾値ＤＴ１とを比較し(ステップ７７)、検出塵埃濃度が閾値ＤＴ１を上回る場合には送風部６の送風量をＶｂ１とする(ステップ７８)。ステップ７７で検出塵埃濃度が閾値ＤＴ１以下であった場合には検出塵埃濃度と次の送風量切り替え閾値ＤＴ２とを比較し（ステップ７９）、検出塵埃濃度が閾値ＤＴ２を上回る場合には送風部６の送風量をＶｂ２とする(ステップ８０)。ステップ７９で検出塵埃濃度が閾値ＤＴ２以下であった場合には検出塵埃濃度と次の送風量切り替え閾値ＤＴ３とを比較し（ステップ８１）、検出塵埃濃度が閾値ＤＴ３を上回る場合には送風部６の送風量をＶｂ３とする(ステップ８２)。ステップ８１で検出塵埃濃度が閾値ＤＴ３以下であった場合には検出塵埃濃度と次の送風量切り替え閾値ＤＴ４とを比較し（ステップ８３）、検出塵埃濃度が閾値ＤＴ４を上回る場合には送風部６の送風量をＶｂ４とし(ステップ８４)、検出塵埃濃度が閾値ＤＴ４以下であった場合には送風部６の送風を停止し（ステップ８５）、ステップ６１へ戻って建物内で人が検知されるのを待つ。ステップ７８、
ステップ８０、ステップ８２、ステップ８４において建物内に人が検知されない状態で送風部６に送風量を設定した場合には、人感センサー９からの情報により建物内の人の有無を判断し（ステップ８６）、人がいない場合にはステップ７７へ戻り、建物内に人を検知した場合にはステップ６２へ戻って空気清浄装置の送風量を大きくする。
【００２８】
以上のように本実施の形態に係る空気清浄装置１００によれば、建物内に人が検知されない状態から建物内に人を検知すると、一定期間、空気清浄装置１００を大きな送風量で動作させるので、建物内の空気汚染度の上昇を抑制するとともに、空気汚染度の上昇の検知が遅れるのを抑えることができる。また、建物内に人がいる状態から建物内に人がいない状態に移行した場合にも、建物内の空気が清浄状態となるまで空気清浄装置を小送風量で動作させるので、使用電力を抑制しつつ、再度、建物内に人が入った際に建物内の空気を清浄な状態とすることができる。
【００２９】
なお、上記実施の形態に係る空気清浄装置では、建物内に人を検知しない状態から建物内に人を検知する状態に移行した場合に、建物内の人が検知される状態が継続すれば送風部を所定時間、送風量が大きくなるように制御したが、送風部６が動作している場合は建物内の空気の循環が行われており、送風量が所定値以上の場合には建物内の空気汚染度の上昇の検知遅れがある程度短縮されているので、大送風量動作をしないこととしてもよい。
【００３０】
実施の形態４．
実施の形態４に係る空気清浄装置１００は、建物内の人の有無だけでなく、建物内の人の就寝状態を検知して、その状態に応じて送風部６の送風量を調整するようにしたものである。本実施の形態に係る空気清浄装置１００について、その制御ブロック構成を図９に、その建物における配置を図１０に、その制御部１０による制御動作のフローチャートを図１１に示す。図９および図１０に示すように、空気汚染度センサー８と人感センサー９とを備え、建物内の空気汚染度や人の有無を検知するとともに、寝具であるベッド１７に就寝検知センサーである寝具感圧センサー１６を設け、人が寝具上に位置する就寝状態にあるか否かを検知する。なお、寝具感圧センサー１６は空気清浄装置本体１００と離れた寝具１７に位置しているので、検知した就寝情報は送信部１８から空気清浄装置本体１００の受信部１９へ送信される。以下、図１１に示したフローチャートに基づいて、本実施の形態に係る空気清浄装置１００の制御部１０による制御動作について説明する。
【００３１】
図１１において、初期状態では空気清浄装置１００は建物内に人のいない状態で停止状態である。最初に制御部１０は人感センサー９からの情報により建物内に人がいるか否かを判断する（ステップ１０１）。建物内に人を検知できなければ、空気汚染度センサー８で検知した空気汚染度と送風部６の送風量切り替え閾値とを比較し（ステップ１０２）、検知した空気汚染度が閾値よりも大きい場合には送風部６を送風量小で駆動し（ステップ１０３）、検知した空気汚染度が閾値以下の場合には送風部６の送風を停止して（ステップ１０４）、ステップ１０１へ戻る。
【００３２】
ステップ１０１で建物内に人が検知された場合は、建物内に人がいない状態からいる状態に移行したものであり、タイマー１１のカウンタをクリアして初期化し（ステップ１０５）、送風部６の送風量を大きくする（ステップ１０６）。次いで、再び人感センサー９からの情報に基づき、建物内に人がいるか否かの判断を行い（ステップ１０７）、人が検知されなかった場合にはステップ１０１へ戻る。ステップ１０７で建物内に人が検知された場合には、タイマー１１をカウントアップし（ステップ１０８）、そのタイマー１１のカウンタ値と所定値Ｔ１とを比較する（ステップ１０９）。タイマー１１のカウンタ値が所定値Ｔ１未満であれば、建物内に人が検知されてから所定時間（Ｔ１）が経過していないので、ステップ１０７へ戻って、大きな送風量を維持する。
【００３３】
ステップ１０９でタイマー１１のカウンタ値が所定値Ｔ１以上となった場合は、建物内に人が検知されてから送風部６を大きな送風量で駆動する所定時間（Ｔ１）が終了したものであり、空気汚染度センサー８で検知した検出値と送風量切り替え閾値とを比較し（ステップ１１０）、検出値が閾値を上回る場合には寝具感圧センサー１６の送信部１８から送信されてきた情報に基づき就寝状態を判断する（ステップ１１１）。その結果、就寝状態を検知しなかった場合には送風量を大とする（ステップ１１２）。一方、ステップ１１０で空気汚染度センサー８により検知した検出値が送風量切り替え閾値以下であった場合や、ステップ１１１で就寝状態と判断した場合には、送風部６を送風量小で駆動する（ステップ１１３）。ステップ１１２またはステップ１１３の後、人感センサー８でからの情報に基づき建物内の人の有無を判断し（ステップ１１４）、人が検知された場合にはステップ１１０に戻って空気汚染度や就寝状態に基づく送風量の制御を継続し、人が検知されなかった場合にはステップ１０１へ戻る。
【００３４】
なお、本実施の形態に係る空気清浄装置１００は、建物内に人が検知されない状態から建物内に人を検知すると、就寝状態に関わらず所定期間、大きな送風量で動作することとしたが、当該所定期間においても就寝状態を検知し、就寝状態にあれば送風量を抑制することとしてもよい。
【００３５】
以上のように、本実施の形態に係る空気清浄装置１００によれば、就寝検知手段である寝具感圧センサー１６を設け、建物内の人が就寝したことを検知した場合には送風部６の送風量を小さくするようにしたので、建物内の空気環境の維持を図りつつ、省エネおよび騒音の抑制を図り、使用者の睡眠を妨げない空気清浄装置を得ることができる。
【００３６】
実施の形態５．
実施の形態４に係る空気清浄装置１００は、就寝検知手段である寝具感圧センサー１６を設け、建物内の人が就寝したことを検知した場合には建物内の空気汚染度によらず、送風部６の送風量を小さくするようにしたものであるが、空気清浄装置１００の送風部６の送風量を切り替える建物内の空気汚染度に対する閾値を、就寝状態に応じて調整し、就寝状態にある場合は送風量を小さくする空気汚染度の範囲を広くしてもよい。図１２に、実施の形態５に係る空気清浄装置の制御動作における就寝状態と送風量を切り替える閾値との関係を示す。
【００３７】
図１２に示すように、送風部６の送風量を小から大に切り替える空気汚染度の閾値を、就寝中は非就寝中の閾値ＤＬよりも高い閾値ＤＨにしている。その結果、就寝中は、空気汚染度がＤＨより高い場合は大きい送風量で空気の清浄化を進めるとともに、ある程度空気の清浄化の進んだ空気汚染度がＤＬ〜ＤＨの範囲では送風量を小さくして、消費電力を抑制するとともに騒音を抑え、使用者の睡眠を妨げない空気清浄装置を得ることができる。
【００３８】
実施の形態６．
実施の形態６に係る空気清浄装置１００は、特定の電気機器負荷２０の動作状態に応じて送風部６の送風量を調整するようにして、建物内の空気汚染度の上昇を抑制するようにしたものである。本実施の形態に係る空気清浄装置１００について、その制御ブロック構成を図１３に、建物における配置を図１４に、制御部１０における制御動作のフローチャートを図１５に、示す。また、図１６において、（ａ）には人感センサー９による人検知状態、（ｂ）には空気汚染度センサー８の検知した塵埃濃度等の空気汚染度、（ｃ）には特定電気負荷であるエアコン２０ａの動作状態、（ｄ）には特定電気負荷であるＩＨクッキングヒータ２０ｂの動作状態、（ｅ）には特定電気負荷である掃除機２０ｃの動作状態、（ｆ）には送風部６の動作（送風量）状態、のタイムチャートが示されている。本実施の形態において、エアコン２０ａ、ＩＨクッキングヒータ２０ｂ、掃除機２０ｃが、空気清浄装置１００の制御動作に影響を与える特定の電気機器負荷２０である。エアコン２０ａやＩＨクッキングヒータ２０ｂ、掃除機２０ｃの動作情報は、それぞれの電気機器負荷に設けられた送信部（１８ａ〜１８ｃ）から空気清浄装置本体１００ｂに設けられた受信部１９に送信され、制御部１０はそれらの受信した電気機器負荷の動作情報も利用して、制御動作を行う。特定の電気機器負荷、例えば掃除機２０ｃを使用すると塵埃が舞い上がったり、ＩＨクッキングヒータ２０ｂを使用すれば油煙が発生したりと、建物内の空気環境を悪化させる場合がある。そこで特定の電気機器負荷２０が動作中である場合における空気清浄装置の動作を、空気汚染度センサー８で検知した空気汚染度に基づく動作レベル以上のレベルで動作させる。具体的には、空気清浄装置の送風部６の送風量を、大きくする。なお、特定の電気機器負荷２０はエアコン２０ａ、ＩＨクッキングヒータ２０ｂ、掃除機２０ｃに限られるものではない。以下、図１５〜図１６に基づいて本実施の形態に係る空気清浄装置１００の制御動作について説明する。
【００３９】
図１５において、初期状態では空気清浄装置１００は建物内に人がいない状態である。まず、空気汚染度センサー８で検知した検出値と送風量切り替え閾値とを比較し（ステップ２０１）、検出値が閾値を上回る場合には送風部６の送風量を大とし（ステップ２０２）、検出値が閾値以下である場合には送風部６の送風量を小とする（ステップ２０３）。次に、人感センサー９で検知した情報から建物内の人の有無を判断し（ステップ２０４）、建物内に人が検知されなかった場合には、受信部１９で受信した特定の電気機器負荷の動作状態を判断する（ステップ２０５）。その結果、特定の電気機器負荷が動作中の場合には送風部６の送風量を大とし（ステップ２０６）、動作中でない場合には送風部６の送風量を変更することなく、ステップ２０１へ戻る。
【００４０】
ステップ２０４において建物内に人が検知された場合は、建物内に人がいない状態から人がいる状態に移行したもので、建物内の空気汚染度の上昇に備えて空気汚染度センサー８で空気汚染度の上昇を検知する前から送風部６の送風量を大とし（ステップ２０７）、タイマー１１のカウンタをクリアして初期化する（ステップ２０８）。次いで、再び人感センサー９からの情報から建物内に人がいるか否かを判断し（ステップ２０９）、人が検知されなければステップ２０１へ戻り、人が継続して検知された場合はタイマー１１をカウントアップして（ステップ２１０）、そのカウンタ値が所定値Ｔ１以上になったか判断する（ステップ２１１）。その結果、タイマー１１のカウンタ値が所定値Ｔ１に満たない場合はステップ２０９へ戻り、建物内に人を検知してから所定時間Ｔ１、送風部６を送風量大で駆動して空気清浄装置を高いレベルで動作させる。なお、この所定期間Ｔ１中にステップ２０９において建物内に人が検知されなくなると、ステップ２０１へ戻る。
【００４１】
ステップ２１１でタイマー１１のカウンタ値が所定値Ｔ１以上となると、建物内に人が検知されてから一定期間（Ｔ１）、送風部６が送風量が大きい状態で駆動されているので、建物内に人が入ったことによる空気汚染度の変化状態は空気汚染度センサー８で検知される検出値に反映された状態となる。そこで、空気汚染度センサー８で検知した検出値と送風量切り替え閾値とを比較し（ステップ２１２）、検出値が閾値以下であった場合には特定の電気機器負荷の動作状態を判断する（ステップ２１３）。その結果、特定の電気機器負荷が動作状態になかった場合には、送風部６の送風量を小とする（ステップ２１４）。ステップ２１２で空気汚染度センサー８により検知した検出値が送風量切り替え閾値を上回った場合や、ステップ２１３で特定の電気機器負荷が動作中であった場合には、送風部６の送風量を大とする（ステップ２１５）。ステップ２１４あるいはステップ２１５の後、人感センサー９からの情報により建物内に人がいるか否かを判断し（ステップ２１６）、建物内に人を検知した場合にはステップ２１２へ戻って建物内に人がいる状態での空気汚染度や特定の電気機器負荷２０の動作状態の監視を継続し、建物内に人を検知しなければステップ２０１へ戻って建物内に人がいない状態での建物内の空気汚染度や人の有無、特定の電気機器負荷の動作状態の監視を継続する。
【００４２】
次に、図１６における送風量の変化について説明する。Ｂ１では、人感センサー９により建物内で人が新たに検知され、送風部６の送風量が大きくなる。Ｂ２では、掃除機２０ｃが起動されているが、送風部６の送風量は既に大きい。Ｂ３は、人感センサー９で人を検知してから所定時間（Ｔ１）経過時であるが、特定電気機器負荷である掃除機２０ｃが動作中であり、送風量が大きい状態を継続する。Ｂ４では、空気汚染度センサー８で検知した空気汚染度が送風量切り替え閾値を超えたが、送風量は既に大きい状態である。Ｂ５では、特定の電気機器負荷である掃除機２０ｃを停止するが、空気汚染度センサー８で検知した空気汚染度が送風量切り替え閾値を上回っているので送風量が大きい状態を維持する。Ｂ６では、空気汚染度センサー８で検知した空気汚染度が送風量切り替え閾値を下回るので送風量を小さくする。Ｂ７では、特定の電気機器負荷であるエアコン２０ａが動作状態になり、送風量が大きくなる。Ｂ８では、特定の電気機器負荷であるエアコン２０ａが停止し、送風量が小さくなる。Ｂ９では、人感センサー９により人が検知され、送風量が大きくなる。Ｂ１０では、特定の電気機器負荷であるＩＨクッキングヒータ２０ｂが動作状態になるが、送風量は既に大きい。Ｂ１１では、人感センサー９で人を検知してから所定時間（Ｔ１）経過時であるが、ＩＨクッキングヒータ２０ｂが動作中であり、空気汚染度センサー８で検知した空気汚染度も送風量切り替え閾値を上回っているので、送風量が大きい状態を継続する。Ｂ１２では、特定の電気機器負荷であるＩＨクッキングヒータ２０ｂが停止するが、空気汚染度センサー８で検知した空気汚染度も送風量切り替え閾値を上回っているので、送風量が大きい状態を継続する。Ｂ１３では、空気汚染度センサー８で検知した空気汚染度も送風量切り替え閾値を下回るので、送風量を小さくする。
【００４３】
なお、上記実施の形態に係る空気清浄装置においては、送風部６の送風量は大・小の２段階にしか切り替えられないが、送風量を３段階以上に切り替え可能としてもよい。この時、空気汚染度センサー８で検知された検出値に対する送風部６の送風量は、特定の電気機器負荷が動作している場合に、特定の電気機器負荷が動作していない場合の送風量以上とする。
【００４４】
以上のように、本実施の形態に係る空気清浄装置１００によれば、特定の家電機器負荷２０の動作状態に応じて、送風部６の送風量を調整するようにしたので、特定の電気機器負荷の動作による影響を抑えて建物内の空気環境を維持することができる。
【００４５】
なお、上記実施の形態に係る空気清浄装置においては、特定の電気機器負荷２０が動作状態であれば空気清浄装置の送風量を大きくすることとしたが、特定の電気機器の動作開始後一定期間のみ、空気清浄装置の送風量を大きくすることとしてもよい。
【００４６】
また、上記実施の形態に係る空気清浄装置においては、特定の電気機器負荷２０が動作状態であれば空気清浄装置の送風量を大きくすることとしたが、特定の電気機器の動作停止後一定期間も継続して空気清浄装置の送風量を大きくすることとしてもよい。
【００４７】
また、特定の電気機器負荷２０が動作状態に応じて直接的に送風量を増減するのではなく、特定の電気機器負荷２０が動作状態に応じて空気汚染度の送風量切り替えの閾値を調整することとしてもよい。例えば、特定の電気機器負荷２０が動作している場合には動作していない場合と比較して、空気汚染度の送風量切り替えの閾値を小さくするように調整することにより、送風部６の送風量が大きくなる空気汚染度の範囲を広げるようにしてもよい。また、空気汚染度の送風量切り替えの閾値は、特定の電気機器負荷によって異なる値としてもよい。
【符号の説明】
【００４８】
１  吸い込み口、２  吹き出し口、４  ダクト、５  空気清浄部、５ａ  フィルター、５ｂ  除塵機、６  送風部、６ａ  ファン、６ｂ  モーター、８  空気汚染度センサー、９  人感センサー、１０  制御部、１１  タイマー、１３  空気調和器、１６  就寝検知センサー、１７  ベッド（寝具）、１８  送信部、１９  受信部、２０  特定の電気機器負荷、２０ａ  エアコン、２０ｂ  ＩＨクッキングヒータ、２０ｃ  掃除機、１００  空気清浄装置。
【図１】
0006554953.tif 000002
【図２】
0006554953.tif 000003
【図３】
0006554953.tif 000004
【図４】
0006554953.tif 000005
【図５】
0006554953.tif 000006
【図６】
0006554953.tif 000007
【図７】
0006554953.tif 000008
【図８】
0006554953.tif 000009
【図９】
0006554953.tif 000010
【図１０】
0006554953.tif 000011
【図１１】
0006554953.tif 000012
【図１２】
0006554953.tif 000013
【図１３】
0006554953.tif 000014
【図１４】
0006554953.tif 000015
【図１５】
0006554953.tif 000016
【図１６】
0006554953.tif 000017